(57)【要約】【課題】画素行列数のより多い、異なった画像表示パネルに本来対応する駆動ＩＣでも、好適に画像表示を行うことのできる画像表示パネルを提供する。【解決手段】画像表示パネル１０の垂直シフトレジスタ１９および水平シフトレジスタ１７に、選択時の出力対象の無いダミーステージを設けて各シフトレジスタの総ステージ数を増加させることで、採用される画像表示パネル１０よりも画素行列数の多い画像表示パネルに対応した駆動ＩＣ１１での駆動により、好適な画像表示を可能とする。【選択図】      図１
2006154106.tif 000002
【特許請求の範囲】
【請求項１】
画像表示部の水平信号線および垂直信号線のいずれかの信号線にそれぞれ対応する複数のステージが配列され、スタート信号に応じて配列先頭のステージが選択されて出力を発し、その後、クロック信号に同期して配列順に各ステージが順次選択されて出力を発するように構成されたシフトレジスタを備える画像表示パネルにおいて、
前記シフトレジスタには、前記信号線に対応する前記複数のステージに加え、選択時の出力対象の無いダミーステージが更に配列されてなる
ことを特徴とする画像表示パネル。
【請求項２】
前記ダミーステージは、前記配列の先頭側および末尾側のそれぞれに均等に分配して配置される請求項１に記載の画像表示パネル。
【請求項３】
画像データの間引きを行う間引手段を更に備える請求項１または２に記載の画像表示パネル。
【発明の詳細な説明】
【技術分野】
【０００１】
本発明は、画像表示パネルに関する。
【背景技術】
【０００２】
図９に、従来の薄膜トランジスタ（ＴＦＴ：Ｔｈｉｎ  Ｆｉｌｍ  Ｔｒａｎｓｉｓｔｏｒ）を備えた液晶画像表示装置の構成を示す。同図に示すように、画像表示装置５０は、液晶を電界光学材料として用いた画像表示パネル５１およびその外部に設けられた駆動ＩＣ（集積回路：Ｉｎｔｅｇｒａｔｅｄ  Ｃｉｒｃｕｉｔ）５２を備えて構成されている。
【０００３】
駆動ＩＣ５２は、外部入力された画像信号の水平同期信号および垂直同期信号に基づき、水平スタート信号ＳＴＨ、水平クロック信号ＣＫＨ、垂直スタート信号ＳＴＶ、および垂直クロック信号ＣＫＶ等の駆動信号を生成するタイミングコントローラ５３を備えて構成されている。
【０００４】
一方、画像表示パネル５１の画像表示部５４には、画像水平方向に並列配置された複数（ｎ本）の垂直信号線５５、画像垂直方向に並列配置された複数（ｍ本）の水平信号線５６が配設されている。また画像表示部５４には、それら垂直信号線５５および水平信号線５６の各交点に対応してスイッチング用の選択トランジスタ５７および画素電極５８がそれぞれ配列されている。選択トランジスタ５７のゲートは水平信号線５６に、そのドレインは垂直信号線５５に、そのソースは画素電極５８にそれぞれ接続されている。
【０００５】
さらに画像表示パネル５１の上記画像表示部５４の周囲には、垂直信号線駆動回路５９および水平信号線駆動回路６０が配設されている。垂直信号線駆動回路５９および水平信号線駆動回路６０は、それぞれ水平シフトレジスタ６１、垂直シフトレジスタ６２を備えて構成されている。垂直シフトレジスタ６２は、上記水平信号線５６のそれぞれに対応する複数（ｍ段）のステージＶＳＲ１〜ＶＳＲｍを有して構成されている。また水平シフトレジスタ６１は、垂直信号線５５のそれぞれに対応する複数（ｎ段）のステージＨＳＲ１〜ＨＳＲｎを有して構成されている。水平シフトレジスタ６１の各ステージＨＳＲ１〜ＨＳＲｎは、サンプリング回路６３がそれぞれ接続されている。
【０００６】
さて垂直スタート信号ＳＴＶが入力されると、垂直シフトレジスタ６２はその配列先頭のステージＶＳＲ１を選択し、その後、垂直クロック信号ＣＫＶに同期して配列順にステージＶＳＲ２〜ＶＳＲｍを順次選択する。選択された垂直シフトレジスタ６２のステージＶＳＲ１〜ＶＳＲｍは、水平信号線５６の駆動信号を出力する。水平信号線駆動回路６０は、その駆動信号に応じて該当する水平信号線５６に駆動電圧を印加して、その水平信号線５６に接続された選択トランジスタ５７をオンとする。
【０００７】
一方、水平スタート信号ＳＴＨが入力されると、水平シフトレジスタ６１は、その配列先頭のステージＨＳＲ１を選択し、その後、水平クロック信号ＣＫＨに同期して配列順にステージＨＳＲ２〜ＨＳＲｎを順次選択する。選択された水平シフトレジスタ６１のステージＨＳＲ１〜ＨＳＲｎは、対応するサンプリング回路６３に駆動信号を出力する。サンプリング回路６３は、その駆動信号の入力に応じて、対応する垂直信号線５５に供給すべき画像データのサンプリングを行う。
【０００８】
以上のように、ＴＦＴ型液晶画像表示装置の画像表示パネル５１では、画像信号をサンプリングするタイミングや水平信号線５６の駆動タイミングがシフトレジスタにより決定されるようになっている。こうした構造は、ＭＩＭ（Ｍｅｔａｌ−Ｉｎｓｕｌａｔｏｒ−Ｍｅｔａｌ）液晶方式やＳＴＮ（Ｓｕｐｅｒ  Ｔｗｉｓｔｅｄ  Ｎｅｍａｔｉｃ）方式、ＤＳＴＮ（Ｄｕａｌ−ｓｃａｎ  Ｓｕｐｅｒ  Ｔｗｉｓｔｅｄ  Ｎｅｍａｔｉｃ）方式等のＴＦＴ方式以外の液晶パネルにおいても同様である。またプラズマディスプレイや有機発光体（有機ＥＬ：Ｅｌｅｔｒｏｌｕｍｉｎｅｓｃｅｎｃｅ）ディスプレイ、電界放出ディスプレイ（ＦＥＤ：Ｆｉｅｌｄ  Ｅｍｉｓｓｉｏｎ  Ｄｉｓｐｌａｙ）等のような液晶以外の画像表示装置の画像表示パネルにおいても、概ね共通したものとなっている。
【発明の開示】
【発明が解決しようとする課題】
【０００９】
上記のような画像表示パネルでは、クロック信号およびスタート信号が画像表示部の水平／垂直信号線数に対応していないと、正常な画像表示を行うことはできない。したがって少なくとも画像表示部の画素行列数の異なった画像表示パネルに対しては、スタート信号やクロック信号の生成態様の異なる専用の駆動ＩＣを別途に用意する必要がある。そのため、従来には、画素行列数の異なる画像表示パネルを新規に開発する毎には、その駆動ＩＣも併せて開発する必要があり、また駆動ＩＣの設計には通常、画像表示パネルの設計よりも長い期間が必要となることから、製品開発期間の短縮に限界があった。
【００１０】
なおデジタルスチールカメラやデジタルビデオカメラには、ファインダ用とモニタ用との２つの画像表示パネルが搭載されることがある。このように複数の画像表示パネルを単一の機器に搭載する場合、各パネルの画素行列数が異なれば、たとえ各パネルに同様の画像表示を行わせる場合にも、パネル毎に専用の駆動ＩＣが必要となり、製品開発期間の長期化や製造コストの増大を招いていた。また携帯機器では、複数の駆動ＩＣの設置スペースの確保が困難であり、それが製品開発の障害となることもあった。
【００１１】
本発明は、こうした実状に鑑みてなされたものであって、その解決しようとする課題は、画素行列数のより多い、異なった画像表示パネルに本来対応する駆動ＩＣでも、好適に画像表示を行うことのできる画像表示パネルを提供することにある。
【課題を解決するための手段】
【００１２】
以下、上記課題を解決するための手段、及びその作用効果を記載する。
請求項１に記載の発明は、画像表示部の水平信号線および垂直信号線のいずれかの信号線にそれぞれ対応する複数のステージが配列され、スタート信号に応じて配設先頭のステージが選択されて出力を発し、その後、クロック信号に同期して配列順に各ステージが順次選択されて出力を発するように構成されたシフトレジスタを備える画像表示パネルにおいて、前記信号線に対応する前記ステージの配列に、選択時の出力対象の無いダミーステージを更に配置したことをその要旨とする。
【００１３】
上記構成では、シフトレジスタにおいてそのステージ配列に設けられたダミーステージが選択されたとしても、信号線の駆動や画像信号のサンプリング等に係る出力は発せられず、そのダミーステージに対応する画像データはオミットされる。このようにダミーステージは、画像表示に直接的な役割は果たさないものの、シフトレジスタの見かけ上の総ステージ数はその分増加することになる。そのため、画素行列数のより多い、異なった画像表示パネルに本来対応する駆動ＩＣで、当該画像表示パネルに好適な画像表示を行わせることができるようになる。
【００１４】
また請求項２に記載の発明は、請求項１に記載の画像表示パネルにおいて、前記ダミーステージは、前記配列の先頭側および末尾側のそれぞれに均等に分配して配置されることをその要旨とする。
【００１５】
上記構成では、外部入力された画像信号により本来表示されるべき画像の垂直方向或いは水平方向の両端部分の画像が均等にオミットされるようになる。すなわち、本来表示されるべき画像の中央部分が当該画像表示パネルの画像表示部に表示されるようになる。
【００１６】
さらに請求項３に記載の発明は、請求項１または２に記載の画像表示パネルにおいて、画像データの間引きを行う間引手段を更に備えることをその要旨とする。
当該画像表示パネルの各画素のアスペクト比が、駆動ＩＣが本来想定していた画像表示パネルのものとは異なっていると、たとえ上記ダミーステージが適切に設けられていたとしても、表示される画像全体のアスペクト比が歪んでしまう虞がある。その点、上記構成では、画像データの間引きを行うことで、画像のアスペクト比の歪みが補正されるようになる。
【発明の効果】
【００１７】
本発明の画像表示パネルによれば、画素行列数のより多い、異なった画像表示パネルに本来対応する駆動ＩＣでも、好適な画像表示を行うことができる。
【発明を実施するための最良の形態】
【００１８】
以下、本発明の画像表示パネルを具体化した一実施形態を、図１〜図８を参照して詳細に説明する。なおここでは、２２５行×６００列の画素行列を備える画像表示パネルに、本来は２４０行×６４０列の画素行列を備えた画像表示パネル用の駆動集積回路（以下「駆動ＩＣ」と記載する）にて画像表示を行わせる場合を例に説明する。
【００１９】
図１に、本実施形態の画像表示パネル１０および駆動ＩＣ１１の模式構造を示す。同図に示すように画像表示パネル１０は大きくは、画像表示部１２、垂直信号線駆動回路１３および水平信号線駆動回路１４を備えて構成されている。
【００２０】
画像表示パネル１０の画像表示部１２には、２２５本の水平信号線１６が画像垂直方向に並列配置され、６００本の垂直信号線１５が画像水平方向に並列配置されている。なお水平信号線１６および垂直信号線１５の各交点の近傍には、その交点毎にスイッチング用の選択トランジスタおよび画素電極が配置されている。
【００２１】
垂直信号線駆動回路１３には、上記垂直信号線１５に供給される画像データのサンプリングのタイミングを決める水平シフトレジスタ１７が設けられている。水平シフトレジスタ１７の各垂直信号線１５に対応した６００段のステージ（ＨＳＲ２１〜ＨＳＲ６２０）には、画像データのサンプリングを行うためのサンプリング回路１８がそれぞれ接続されている。水平シフトレジスタ１７は、水平スタート信号ＳＴＨの入力に応じ、配列先頭のステージを選択し、その後、水平クロック信号ＣＫＨに同期して、配列順に選択するステージを移行する。選択されたステージは、接続されたサンプリング回路１８に駆動信号を出力し、同サンプリング回路１８に画像データのサンプリングを実施させる。
【００２２】
水平信号線駆動回路１４には、上記水平信号線１６に駆動電圧を印加するタイミングを決める垂直シフトレジスタ１９が設けられている。垂直シフトレジスタ１９の各水平信号線１６に対応した２２５段のステージ（ＶＳＲ９〜ＶＳＲ２３３）には、上記駆動電圧の印加／その解除を切り換えるスイッチング素子２０がそれぞれ接続されている。垂直シフトレジスタ１９は、垂直スタート信号ＳＴＶの入力に応じ、配列先頭のステージを選択し、その後、垂直クロック信号ＣＫＶに同期して、配列順に選択するステージを移行する。選択されたステージは、接続されたスイッチング素子２０に駆動信号を出力し、水平信号線１６に駆動電圧を印加する状態へと同スイッチング素子２０を切り換える。
【００２３】
一方、駆動ＩＣ１１は、画像データ信号の垂直同期信号および水平同期信号に基づき、垂直スタート信号ＳＴＶ、垂直クロック信号ＣＫＶ、水平スタート信号ＳＴＨおよび水平クロック信号ＣＫＨを生成するタイミングコントローラ２１を備えて構成されている。垂直スタート信号ＳＴＶおよび垂直クロック信号ＣＫＶは、垂直シフトレジスタ１９に供給され、水平スタート信号ＳＴＨおよび水平クロック信号ＣＫＨは、水平シフトレジスタ１７に供給されるようになっている。なおこのタイミングコントローラ２１により生成される上記各駆動信号は、２４０行×６４０列の画素行列の画像表示に対応したものとなっている。
【００２４】
このように画像表示パネル１０は、自身よりも画素行列数の多い画像表示パネルに対応した駆動ＩＣ１１によって駆動されるようになっている。本実施形態の画像表示パネル１０は、そうした駆動ＩＣ１１でも、好適な画像表示を行うことができるようになっている。具体的には、この画像表示パネル１０では、その水平シフトレジスタ１７および垂直シフトレジスタ１９に、ダミーステージがそれぞれ設けられるようになっている。
【００２５】
水平シフトレジスタ１７では、その配列先頭および末尾にそれぞれ２０段のダミーステージ（ＨＳＲ１〜ＨＳＲ２０，ＨＳＲ６２１〜ＨＳＲ６４０）が配列されている。これらダミーステージは、サンプリング回路１８に接続されておらず、自身が選択されたときの駆動信号の出力対象を有さない構成となっている。なお、これら都合４０段のダミーステージにより、水平シフトレジスタ１７の総ステージ数は６４０段とされている。
【００２６】
一方、垂直シフトレジスタ１９では、その配列先頭に８段、配列末尾に７段のダミーステージ（ＶＳＲ１〜ＶＳＲ８，ＶＳＲ２３４〜ＶＳＲ２４０）がそれぞれ配列されている。これらダミーレジスタは、上記スイッチング素子２０に接続されておらず、やはり自身が選択されたときの駆動信号の出力対象を有さない構成となっている。なお、これら都合１５段のダミーステージにより、垂直シフトレジスタ１９の総ステージ数は２４０段とされている。
【００２７】
なおこれら水平シフトレジスタ１７および垂直シフトレジスタ１９のダミーステージは、回路的に他のステージと直列接続されていれば、画像表示パネル１０の適宜な部位に配置することができる。
【００２８】
図２に、本実施形態の画像表示パネル１０におけるタイミングコントローラ２１からの各信号の入力態様を示す。
上述しように駆動ＩＣ１１は、２４０行×６４０列の画素行列の画像表示に対応しており、一水平周期毎に６４０画素分の画像データを出力し、一垂直周期毎に水平信号線１６の２４０ライン分の画像データを出力する。そうした駆動ＩＣ１１のタイミングコントローラ２１は、一水平周期の６４０画素分の画像データの出力期間におけるクロック数が６４０回となるように水平クロック信号ＣＫＨを出力する。またタイミングコントローラ２１は、一垂直周期の上記２４０ライン分の画像データの出力期間におけるクロック数が２４０回となるように垂直クロック信号ＣＫＶを出力する。
【００２９】
各垂直周期において、画像表示パネル１０は以下の態様で駆動される。
今回の垂直周期が開始され、垂直スタート信号ＳＴＶが入力されると、垂直シフトレジスタ１９は、配列先頭のステージ（ＶＳＲ１）を選択し、その後、上記垂直クロック信号ＣＫＶに同期して、選択するステージを配列順に移行する。ここで本実施形態の画像表示パネル１０では、垂直シフトレジスタ１９の配列先頭からの８ステージ（ＶＳＲ１〜ＶＳＲ８）は、ダミーステージとされており、選択されても、いずれの水平信号線１６にも駆動電圧は印加されないようになっている。そのため、先頭から８行分の画像データはオミットされ、当該画像表示パネル１０では表示されないことになる。
【００３０】
垂直スタート信号ＳＴＶの入力から９回目の水平周期となると、垂直シフトレジスタ１９は、ダミーでない通常のステージ（ＶＳＲ９）を選択する。これにより、画像表示部１２最上段の水平信号線１６に駆動電圧が印加され、１行目の画素列が駆動される。これより、２２５回の水平周期は、通常のステージ（ＶＳＲ９〜ＶＳＲ２３３）が選択されることから、画像表示部１２の各行の画素列に画像データが供給され、画像表示部１２全体の画像表示がなされるようになる。
【００３１】
その後も、画像データは引き続き入力されるが、以後は垂直シフトレジスタ１９においてダミーステージ（ＶＳＲ２３４〜ＶＳＲ２４０）が選択されるため、以降の７行分の画像データはすべてオミットされることとなる。そして今回の垂直周期における画像データが全て入力され、更に垂直方向の帰線期間が経過すると、今回の垂直周期が終わり、再び垂直スタート信号ＳＴＶが入力される。
【００３２】
一方、各水平周期においては、以下の態様で画像表示パネル１０が駆動される。
今回の水平周期が開始されて水平スタート信号ＳＴＨが入力されると、水平シフトレジスタ１７は、その配列先頭のステージ（ＨＳＲ１）を選択し、その後、水平クロック信号ＣＫＨに同期して、選択するステージを配列順に移行する。ただし、水平シフトレジスタ１７の配列先頭からの２０ステージは、ダミーステージ（ＨＳＲ１〜ＨＳＲ２０）とされており、選択されても、いずれのサンプリング回路１８も駆動されないため、先頭から２０列分の画像データはオミットされることになる。
【００３３】
水平周期の開始から２１ステージ目となると、水平シフトレジスタ１７において通常のステージ（ＨＳＲ２１）が選択されるようになる。そのため、画面左端の垂直信号線１５に対応したサンプリング回路１８が駆動され、画像データがサンプリングされるようになる。その後の６００ステージは、通常のステージ（ＨＳＲ２１〜ＨＳＲ６２０）が選択されるため、画像表示部１２のすべての垂直信号線１５について画像データのサンプリングが行われることになる。このとき、垂直シフトレジスタ１９において、ダミーでない、通常のステージが選択されていれば、それらサンプリングされた画像データに基づき、選択されたステージに対応する画像表示部１２の行のすべての画素列に画像データが供給されることになる。
【００３４】
以後も、画像データは引き続き入力されるが、その後は水平シフトレジスタ１７にてダミーステージ（ＨＳＲ６２１〜ＨＳＲ６４０）が選択されるため、以降の２０列分の画像データはすべてオミットされることになる。そして今回の水平周期における画像データが全て入力され、更に水平方向の帰線期間が経過すると、今回の水平周期が終わり、再び水平スタート信号ＳＴＨが入力される。
【００３５】
図３は、こうした本実施形態の画像表示パネル１０の画像表示態様を示している。同図に示されるように、この画像表示パネル１０の画像表示部１２には、画像データとして入力された本来の画像に対し、水平方向先頭側および末尾側の２０列分ずつ、垂直方向先頭側の８行分、および垂直方向末尾側の７行分を除いた分の画像が表示されるようになる。本来の画像の外縁部分は表示されないこととなるが、通常の映像／画像の表示用途であれば、殆ど支障が生じることはない。
【００３６】
なおこうした本実施形態の画像表示パネル１０を用いれば、単一の駆動ＩＣで、画素行列数の異なる複数の画像表示パネルを同時に駆動することも可能となる。図４は、そうした画像表示装置の一例を示している。
【００３７】
同図に示される画像表示装置３０は、デジタルスチールカメラやデジタルビデオカメラへの採用を想定したもので、ファインダー用の小板の画像表示パネル３１とモニタ用の比較的大判の画像表示パネル３２との２つの画像表示パネルを備えている。ファインダー用の画像表示パネル３１は、２２５行×６００列の画素行列を備え、モニタ用の画像表示パネル３２は、２４０列×６４０列の画素行列を備えている。
【００３８】
ここでこれらを駆動する駆動ＩＣ３３には、より画素行列数の多いモニタ用の画像表示パネル３２に対応したものとなっている。したがって、モニタ用の画像表示パネル３２は、この駆動ＩＣ３３によって、格別の対応を図らずとも、適切に画像表示を行うことができる。
【００３９】
一方、ファインダー用の画像表示パネル３１については、その画素行列数が駆動ＩＣ３３の駆動信号（スタート信号、クロック信号、画像データ信号等）に対応しないため、そのままでは正常な画像表示を行うことはできないようになっている。そうした場合、この画像表示パネル３１の水平シフトレジスタおよび垂直シフトレジスタに、上記画像表示パネル１０（図１参照）と同様にダミーステージをそれぞれ配列することで、駆動信号とのミスマッチを解消し、好適に画像表示を行わせることができる。すなわち、画像表示パネル３１の水平シフトレジスタに４０段のダミーステージを追加配列して、その総ステージ数を６４０段とし、またその垂直シフトレジスタに１５段のダミーステージを追加配列して、その総ステージ数を２４０段とすることで、上記駆動ＩＣ３３の駆動信号に対応して、好適な画像表示を行うことが可能となる。
【００４０】
これにより、単一の駆動ＩＣ３３で、画素配列数の異なる２つの画像表示パネル３１，３２を同時に駆動することができる。しかも、この場合、駆動ＩＣ３３には、そうした２パネル駆動のための格別な構成を設ける必要はなく、容易にその実現が可能である。
【００４１】
ところで、以上のような垂直／水平シフトレジスタへのダミーステージの設置を通じて、画素行列数の異なる画像表示パネルに本来対応した駆動ＩＣで画像表示パネルを駆動する場合、次のような不具合が発生する虞がある。すなわち、今回採用される画像表示パネルの各画素のアスペクト比が、駆動ＩＣの本来対応する画像表示パネルのものとは異なっていると、たとえ上記ダミーステージが適切に設けられていたとしても、例えば図５（Ａ）（Ｂ）に示すように、表示される画像のアスペクト比が歪んでしまうことがある。
【００４２】
そうした場合、画像データの間引き処理を行うことで、アスペクト比の歪みを補正することができる。例えば水平方向において画像データの間引きを行えば、表示される画像は縦長に補正され、垂直方向において画像データの間引きを行えば、表示される画像は横長に補正される。こうした画像データの間引きは、例えば図６に示すように、シフトレジスタ４０の各ステージＳＲの出力線にセレクタ４１を設置して、シフトレジスタ４０のステージＳＲの一部を、実際の画像データのサンプリングや垂直信号線の駆動から除外することで行うことができる。また図７に示すように、駆動ＩＣ４２から入力されたクロック信号を、図８に例示のように、その立ち上がり／立ち下がりが間欠的に停止させるように変換してシフトレジスタ４３に出力する変換回路４４を設置することによっても、画像データの間引きを行うことはできる。
【００４３】
以上説明した本実施形態の画像表示パネルによれば、次の効果を奏することができる。
（１）垂直／水平シフトレジスタにダミーステージを設けることで、画素行列数のより多い、異なった画像表示パネルに本来対応する駆動ＩＣでも、好適な画像表示を行うことができるようになる。しかも、画像表示パネルに比較的簡易な変更を加えるだけで、容易にそれを実現することができる。またこれにより、次のような副次的な効果（１−ａ）〜（１−ｃ）が得られるようにもなる。
【００４４】
（１−ａ）画素行列数のより多い画像表示パネルに対応した駆動ＩＣで、画素行列数のより少ない画像表示パネルを駆動することが可能となるため、画像表示パネルの駆動ＩＣ選択の自由度を増すことができる。
【００４５】
（１−ｂ）画素行列数の異なった別の画像表示パネルに対応した駆動ＩＣを流用することができるため、駆動ＩＣの設計に要する分、画像表示パネルの開発期間を短縮することができる。
【００４６】
（１−ｃ）画素行列数の異なる複数の画像表示パネルを、単一の駆動ＩＣで同時に駆動することができる。
（２）更にデータの間引き処理を行えば、採用される画像表示パネルの画素と駆動ＩＣの本来想定していた画像表示パネルの画素とのアスペクト比の違いによる表示画像の歪みを補正して、より適正な画像表示を行うことができるようにもなる。
【００４７】
なお上記実施形態は、以下のように変更して実施することもできる。
・上記実施形態の画像表示パネル１０とは画素行列数の異なる画像表示パネルにも本発明は適用することができる。
【００４８】
・垂直／水平シフトレジスタに設置すべきダミーステージの段数は、駆動ＩＣの駆動信号の出力態様と当該画像表示パネルの画素行列数と対応関係に応じて適宜変更する必要がある。
【００４９】
・駆動ＩＣの本来想定する画像表示パネルと、画素行数および画素列数のいずれか一方のみが異なる画像表示パネルを採用する場合には、垂直シフトレジスタ、水平シフトレジスタのいずれか一方のみにダミーステージを設置しても、好適な画像表示を行わせることができる。
【００５０】
・特に本来の画像の中央部分を表示させる必要が無ければ、ステージ配列の先頭側および末尾側のそれぞれに均等に分配してダミーステージを配置する必要はない。
・上記ＭＩＭ液晶方式やＳＴＮ方式、ＤＳＴＮ方式の液晶パネルなど、上記ＴＦＴ方式以外の液晶パネルの複数同時駆動を行う画像表示装置やその駆動回路にも、本発明を適用することができる。またプラズマディスプレイや有機ＥＬディスプレイ、ＦＥＤ等のような液晶パネル以外の画像表示パネルの複数同時駆動を行う画像表示装置やその駆動回路としても、本発明を具現とすることは可能である。
【図面の簡単な説明】
【００５１】
【図１】本発明の一実施形態についてその画像表示パネルの設けられた画像表示装置の模式図。
【図２】同実施形態の画像表示パネルの各信号の入力態様を示すタイミングチャート。
【図３】同実施形態の画像表示パネルの画像表示態様を示す模式図。
【図４】同実施形態の画像表示パネルを用いた画像表示装置の構成例を示す模式図。
【図５】（Ａ）本来の画像表示態様と（Ｂ）歪みの生じた実際の画像表示態様とを併せ示す図。
【図６】画像の歪み補正に係る構成例を示す模式図。
【図７】画像の歪み補正に係る別の構成例を示す模式図。
【図８】同構成例でのクロック信号の変換態様を示すタイミングチャート。
【図９】従来の画像表示パネルの設けられた画像表示装置の模式図。
【符号の説明】
【００５２】
１０，３１…画像表示パネル、１１，３３，４２…駆動ＩＣ、１２…画像表示部、１３…垂直信号線駆動回路、１４…水平信号線駆動回路、１５…垂直信号線、１６…水平信号線、１７…水平シフトレジスタ、１８…サンプリング回路、１９…垂直シフトレジスタ、２０…スイッチング素子、２１…タイミングコントローラ、４０，４３…シフトレジスタ、４１…セレクタ（間引手段）、４４…変換回路（間引手段）。
【図１】
2006154106.tif 000003
【図２】
2006154106.tif 000004
【図３】
2006154106.tif 000005
【図４】
2006154106.tif 000006
【図５】
2006154106.tif 000007
【図６】
2006154106.tif 000008
【図７】
2006154106.tif 000009
【図８】
2006154106.tif 000010
【図９】
2006154106.tif 000011